(57)【要約】【課題】  画像データの管理において、直感的かつ簡便な操作を可能とすること。【解決手段】  外部機器から画像データを入力する入力部と、入力部により入力した画像データを記録する記録部と、外部機器に記録された第１の画像データと記録部に記録された第２の画像データとの少なくとも一方に基づく情報を表示する表示部と、表示部による情報の表示中に、ユーザ指示を受け付ける操作部と、ユーザ指示にしたがって、第１の画像データと第２の画像データとの少なくとも一方の画像データの複写または移動を行う制御部とを備え、表示部は、表示画面を複数の領域に分割し、第１の領域に複写または移動元の画像データに基づく情報を表示し、第２の領域に複写または移動先の画像データに基づく情報を表示するとともに、第１の領域と第２の領域との双方または一方に、画像データに対応する縮小画像を表示する。【選択図】      図１
2007142553.tif 000002
【特許請求の範囲】
【請求項１】
外部機器から画像データを入力する入力部と、
前記入力部により入力した前記画像データを記録する記録部と、
前記外部機器に記録された第１の画像データと前記記録部に記録された第２の画像データとの少なくとも一方に基づく情報を表示する表示部と、
前記表示部による情報の表示中に、ユーザ指示を受け付ける操作部と、
前記ユーザ指示にしたがって、前記第１の画像データと前記第２の画像データとの少なくとも一方の画像データの複写または移動を行う制御部とを備え、
前記表示部は、表示画面を複数の領域に分割し、第１の領域に複写または移動元の画像データに基づく情報を表示し、第２の領域に複写または移動先の画像データに基づく情報を表示するとともに、前記第１の領域と前記第２の領域との双方または一方に、前記画像データに対応する縮小画像を表示する
ことを特徴とする記憶装置。
【請求項２】
請求項１に記載の記憶装置において、
前記操作部は、複数の複写または移動元と複数の複写または移動先との少なくとも一方を指定する前記ユーザ指示を受け付け、
前記制御部は、前記ユーザ指示にしたがって、前記複数の複写または移動元からの画像のデータの複写または移動と、前記複数の複写または移動先への画像のデータの複写または移動との少なくとも一方を行う
ことを特徴とする記憶装置。
【請求項３】
請求項１に記載の記憶装置において、
前記表示部は、前記第１の領域および前記第２の領域に複数の画像データに基づく情報を表示する際に、前記複数の画像データの属性に応じて、表示順序を決定する
ことを特徴とする記憶装置。
【請求項４】
画像データを記録する第１記録部および第２記録部と、
前記第１記録部に記録された第１の画像データと前記第２記録部に記録された第２の画像データとの少なくとも一方に基づく情報を表示する表示部と、
前記表示部による情報の表示中に、ユーザ指示を受け付ける操作部と、
前記ユーザ指示にしたがって、前記第１の画像データと前記第２の画像データとの少なくとも一方の画像データの複写または移動を行う制御部とを備え、
前記表示部は、表示画面を複数の領域に分割し、第１の領域に複写または移動元の画像データに基づく情報を表示し、第２の領域に複写または移動先の画像データに基づく情報を表示するとともに、前記第１の領域と前記第２の領域との双方または一方に、前記画像データに対応する縮小画像を表示する
ことを特徴とする記憶装置。
ことを特徴とするカメラ。
【請求項５】
請求項４に記載のカメラにおいて、
前記表示部は、前記第１の領域および前記第２の領域に複数の画像データに基づく情報を表示する際に、前記複数の画像データの属性に応じて、表示順序を決定する
ことを特徴とするカメラ。
【請求項６】
画像データの管理をコンピュータで実現するための画像管理プログラムであって、
外部機器から画像データを入力する入力手順と、
前記入力手順により入力した前記画像データを記録する記録手順と、
前記外部機器に記録された第１の画像データと前記記録部に記録された第２の画像データとの少なくとも一方に基づく情報を表示部に表示する表示手順と、
前記表示手順による情報の表示中に、ユーザ指示を受け付ける受付手順と、
前記ユーザ指示にしたがって、前記第１の画像データと前記第２の画像データとの少なくとも一方の画像データの複写または移動を行う制御手順とを備え、
前記表示手順では、前記表示部の表示画面を複数の領域に分割し、第１の領域に複写または移動元の画像データに基づく情報を表示し、第２の領域に複写または移動先の画像データに基づく情報を表示するとともに、前記第１の領域と前記第２の領域との双方または一方に、前記画像データに対応する縮小画像を表示する
ことを特徴とする画像管理プログラム。
【発明の詳細な説明】
【技術分野】
【０００１】
本発明は、画像データを記憶する記録装置、カメラおよび画像管理プログラムに関する。
【背景技術】
【０００２】
従来より、画像データの管理のために様々な技術が考えられている。例えば、特許文献１の発明では、表示画面上に、異なる記憶領域に格納された画像データを並べて、シンボルによって表示している。したがって、画像データの比較を簡単に行うことができる。
【特許文献１】特開２００４−３０２６７０号公報
【発明の開示】
【発明が解決しようとする課題】
【０００３】
しかし、上述した特許文献１の発明は、変換処理前後の画像データを並列表示するためのものであり、画像データの管理時の主とした動作である画像データの複写や移動については開示されていない。画像データの管理においては、各種指定手順などが煩雑になるとともに、直感的な操作が困難である場合がある。また、リモートコントローラなどの操作部を用いる場合、限られた操作部材で操作を行うのが困難な場合がある。
【０００４】
本発明の記憶装置、カメラおよび画像管理プログラムは、画像データの管理において、直感的かつ簡便な操作を可能とすることを目的とする。
【課題を解決するための手段】
【０００５】
本発明の記憶装置は、外部機器から画像データを入力する入力部と、前記入力部により入力した前記画像データを記録する記録部と、前記外部機器に記録された第１の画像データと前記記録部に記録された第２の画像データとの少なくとも一方に基づく情報を表示する表示部と、前記表示部による情報の表示中に、ユーザ指示を受け付ける操作部と、前記ユーザ指示にしたがって、前記第１の画像データと前記第２の画像データとの少なくとも一方の画像データの複写または移動を行う制御部とを備え、前記表示部は、表示画面を複数の領域に分割し、第１の領域に複写または移動元の画像データに基づく情報を表示し、第２の領域に複写または移動先の画像データに基づく情報を表示するとともに、前記第１の領域と前記第２の領域との双方または一方に、前記画像データに対応する縮小画像を表示する。
【０００６】
なお、好ましくは、前記操作部は、複数の複写または移動元と複数の複写または移動先との少なくとも一方を指定する前記ユーザ指示を受け付け、前記制御部は、前記ユーザ指示にしたがって、前記複数の複写または移動元からの画像のデータの複写または移動と、前記複数の複写または移動先への画像のデータの複写または移動との少なくとも一方を行うようにしても良い。
【０００７】
また、好ましくは、前記表示部は、前記第１の領域および前記第２の領域に複数の画像データに基づく情報を表示する際に、前記複数の画像データの属性に応じて、表示順序を決定しても良い。
本発明のカメラは、画像データを記録する第１記録部および第２記録部と、前記第１記録部に記録された第１の画像データと前記第２記録部に記録された第２の画像データとの少なくとも一方に基づく情報を表示する表示部と、前記表示部による情報の表示中に、ユーザ指示を受け付ける操作部と、前記ユーザ指示にしたがって、前記第１の画像データと前記第２の画像データとの少なくとも一方の画像データの複写または移動を行う制御部とを備え、前記表示部は、表示画面を複数の領域に分割し、第１の領域に複写または移動元の画像データに基づく情報を表示し、第２の領域に複写または移動先の画像データに基づく情報を表示するとともに、前記第１の領域と前記第２の領域との双方または一方に、前記画像データに対応する縮小画像を表示する。
【０００８】
なお、好ましくは、前記表示部は、前記第１の領域および前記第２の領域に複数の画像データに基づく情報を表示する際に、前記複数の画像データの属性に応じて、表示順序を決定しても良い。
本発明の画像管理プログラムは、画像データの管理をコンピュータで実現するための画像管理プログラムであって、外部機器から画像データを入力する入力手順と、前記入力手順により入力した前記画像データを記録する記録手順と、前記外部機器に記録された第１の画像データと前記記録部に記録された第２の画像データとの少なくとも一方に基づく情報を表示部に表示する表示手順と、前記表示手順による情報の表示中に、ユーザ指示を受け付ける受付手順と、前記ユーザ指示にしたがって、前記第１の画像データと前記第２の画像データとの少なくとも一方の画像データの複写または移動を行う制御手順とを備え、前記表示手順では、前記表示部の表示画面を複数の領域に分割し、第１の領域に複写または移動元の画像データに基づく情報を表示し、第２の領域に複写または移動先の画像データに基づく情報を表示するとともに、前記第１の領域と前記第２の領域との双方または一方に、前記画像データに対応する縮小画像を表示する。
【発明の効果】
【０００９】
本発明の記憶装置、カメラおよび画像管理プログラムによれば、画像データの管理において、直感的かつ簡便な操作が可能である。
【発明を実施するための最良の形態】
【００１０】
以下、図面を用いて本発明の実施形態について説明する。図１は、本実施形態の記憶装置の構成を示すブロック図である。
記憶装置１は、図１に示すように、本体１０、リモートコントローラ２０およびモニタ４０から構成される。本体１０は、画像データを記憶する記憶部１１、外部機器と有線または無線で接続して画像データを入力する入力部１２、画像出力機器と有線または無線で接続して画像データを出力する出力部１３、出力部１３へ出力する画像データを制御する出力制御部１４、リモートコントローラ２０からの情報を受信する受信部１５、各部を制御するＣＰＵ１６を備える。本実施形態では、入力部１２は、電子カメラ５０と接続され、電子カメラ５０の不図示の記憶部からの出力が入力される。入力部１２および受信部１５の出力は、バス１７を介してＣＰＵ１６に接続される。また、出力制御部１４の出力は、バス１７を介して出力部１３に接続される。また、記憶部１１、出力制御部１４、ＣＰＵ１６は、バス１７を介して相互に接続される。
【００１１】
図２は、リモートコントローラ２０の外観図である。リモートコントローラ２０は、電源ボタン２１、各種設定を行うためのセットアップボタン２２、画像データの取り込みを開始する取り込みボタン２３を備える。また、リモートコントローラ２０は、各種数字および文字の入力を行うためのテンキー２４、十字キー２５、決定ボタン２６、ページ送りボタン２７、ズームボタン２８を備える。また、リモートコントローラ２０は、取り込み時等のユーザ操作を受け付ける選択ボタン２９、削除ボタン３０、モードボタン３１、戻るボタン３２、メニューボタン３３を備える。これらの各ボタンの操作状態は、不図示の送信部を介して、本体１０の受信部１５に送信される。
【００１２】
以下、画像データの取り込み実行時のＣＰＵ１６の動作について、図３のフローチャートを用いて説明する。本実施形態では、一例として、画像データを電子カメラ５０の不図示の記憶部から読み込み、記憶装置１の記憶部１１内に予め作成されたアルバムに登録する手順を説明する。
ユーザは、有線または無線で電子カメラ５０と本体１０の入力部１２とを接続し、リモートコントローラ２０の取り込みボタン２３を押すことにより、画像データの取り込みを開始する。
【００１３】
ステップＳ１において、ＣＰＵ１６は、リモートコントローラ２０の取り込みボタン２３が押されたか否かを判定する。取り込みボタン２３以外のボタンが押された場合、それぞれの処理を行う。例えば、セットアップボタン２２が押された場合には、各種設定を行う。
ステップＳ２において、ＣＰＵ１６は、入力部１２を介して、電子カメラ５０の不図示の記憶部から画像データを入力する。ＣＰＵ１６は、入力した画像データを、ＣＰＵ１６内の不図示のメモリに一時記憶する。
【００１４】
ステップＳ３において、ＣＰＵ１６は、出力制御部１４を介して、モニタ４０に取り込み初期画面を表示する。図４Ａに取り込み初期画面の例を示す。
ＣＰＵ１６は、図４Ａに示すように、表示画面を左右２つの領域（領域ａ，ｂ）に分割し、左側の領域ａに、複写または移動元の画像データに基づく情報を表示し、右側の領域ｂに複写または移動先の画像データに基づく情報を表示する。図４Ａでは、領域ａについては、各画像データに対応する縮小画像を表示し、領域ｂについては、各画像データに基づく情報として、画像データを登録（記憶）可能なアルバム名の一覧を表示している。
【００１５】
領域ａ，ｂの上部分には、１つ上の階層のアルバムやフォルダの名称を表示する（ｃ，ｄ参照）。そして、リモートコントローラ２０を介したユーザ指示にしたがって、例えば、図４Ｂに示すように上の階層に移動する。また、ユーザ指示にしたがって、アルバムやフォルダ内の画像データの縮小画像での一覧表示（図４Ｃ参照）と、画像データの名称での一覧表示を切り替える構成としても良い。また、領域ａ，ｂの下部分には、ページ数を表示する（ｅ，ｆ参照）。画像データやフォルダ、アルバムの数が多い場合にはこのようなページ数表示を行う。なお、ＣＰＵ１６は、縮小画像での一覧表示や画像データの名称での一覧表示を行う際には、画像データの属性に応じて、表示順序を決定して並べ替えを行う。画像データ属性とは、撮影日時、撮影時刻など、画像データの付帯情報として記憶された情報である。
【００１６】
ステップＳ４において、ＣＰＵ１６は、ユーザ指示を受け付けたか否かを判定し、ユーザ指示を受け付けるとステップＳ５に進む。
ユーザ指示は、以下の手順で行われる。
複写または移動元（領域ａ）と複写移動先（領域ｂ）とに対するユーザ指示を同時に受け付けると、誤作動が懸念されるため、リモートコントローラ２０のモードボタン３１を使用して、アクティブな領域（ユーザ指示を受け付ける領域）を切り替える。モードボタン３１が押されると、ＣＰＵ１６はこれを検知し、アクティブな領域を切り替える。なお、アクティブな領域は、色や明暗などの変化を用いて視覚的に認識可能にする。
【００１７】
図４Ａで説明した初期画面を表示中に、モードボタン３１が押されると、ＣＰＵ１６はこれを検知し、複写または移動元（領域ａ）をアクティブな領域にする。そして、図５Ａに示すように、画像データを選択するための枠Ｆ１を表示する。ユーザは、十字キー２５と選択ボタン２９とを使用して、複写または移動する画像データを選択する。ＣＰＵ１６は、選択された画像データに、図５Ａに示すように、チェックマークを表示する。なお、この操作を繰り返すことにより、複数の画像データ（またはフォルダ）を複写または移動元として指定することができる。
【００１８】
次に、再びモードボタン３１が押されると、ＣＰＵ１６はこれを検知し、アクティブな領域を複写または移動元（領域ａ）から複写または移動先（領域ｂ）を切り替える。そして、図５Ｂに示すように、アルバムを選択するための枠Ｆ２を表示する。ユーザは、十字キー２５と選択ボタン２９とを使用して、複写または移動先のアルバムを選択する。ＣＰＵ１６は、選択されたアルバムに、図５Ｂに示すように、チェックマークを表示する。なお、この操作を繰り返すことにより、複数のアルバム（またはフォルダ）を複写または移動先として指定することができる。
【００１９】
次に、メニューボタン３３が押されると、ＣＰＵ１６はこれを検知し、図５Ｃに示すように、動作メニューＭを表示する。図５Ｃでは、動作メニューの一例として、「コピー」、「移動」、「左右入替」が挙げられている。左右入替とは、複写または移動元と複写または移動先とを入れ替える処理である。
ユーザは、十字キー２５と選択ボタン２９とを使用して、動作メニューを選択する。ＣＰＵ１６は、動作メニューが選択されると、ユーザ指示を受け付けたと判定し、ステップＳ５に進む。
【００２０】
また、図５Ｂの状態（複写または移動先がアクティブな領域である状態）において、「新規アルバム」が選択された場合には、ＣＰＵ１６は、現在の階層に中身が空の新規のアルバムを作成する。
ステップＳ５において、ＣＰＵ１６は、ステップＳ４で受け付けたユーザ指示にしたがって、処理を行う。
【００２１】
ＣＰＵ１６は、ステップＳ４において「コピー」が選択された場合には、複写元から複写先へと画像データをコピーする。ただし、複写元が複数の場合には、複数の画像データを指定された複写先へとコピーする。また、複写先が複数の場合には、複数の画像データを指定された複数の複写先へとコピーする。
また、ステップＳ４において「移動」が選択された場合には、ＣＰＵ１６は、移動元から移動先へと画像データを移動する。ただし、移動元が複数の場合には、複数の画像データを指定された移動先へと移動する。また、移動先が複数の場合には、複数の画像データを指定された複数の移動先へと移動する。
【００２２】
また、ステップＳ４において「左右入替」が選択された場合には、ＣＰＵ１６は、領域ａおよび領域ｂの内容を入れ替えるか、または、表示画面中央の矢印の向きを反転するとともに、図４Ａのｃ，ｄで説明した部分の「ＦＲＯＭ」および「ＴＯ」を入れ替える。
そして、以上の処理の何れかを終了すると、ＣＰＵ１６は、ステップＳ４に戻り、次のユーザ指示に備える。
【００２３】
なお、図３のフローチャートでは、入力部１２を介して、画像データを電子カメラ５０の不図示の記憶部から読み込む例を示したが、入力部１２にメモリカードなどの記憶媒体用の読み取り装置を備え、記憶媒体から画像データを読み込む構成としても良い。
また、図３のフローチャートでは、複写または移動元が入力部１２を介した外部機器であり、複写または移動先が記憶装置１の記憶部１１である例を示したが、複写または移動元および複写または移動先は、どこであっても良い。例えば、記憶装置１の記憶部１１内の異なる領域間で画像データの複写または移動を行うこともできるし、記憶装置１の記憶部１１から入力部１２を介した外部機器へと画像データを複写または移動することもできる。
【００２４】
また、上記各処理に加えて、画像データの削除および画像データの名称変更を適宜受け付ける構成とすると良い。
以上説明したように、本実施形態によれば、外部機器から画像データを入力する入力部と、入力部により入力した画像データを記録する記録部と、外部機器に記録された第１の画像データと記録部に記録された第２の画像データとの少なくとも一方に基づく情報を表示する表示部と、表示部による情報の表示中に、ユーザ指示を受け付ける操作部と、ユーザ指示にしたがって、第１の画像データと第２の画像データとの少なくとも一方の画像データの複写または移動を行う制御部とを備え、表示部の表示画面を複数の領域に分割し、第１の領域に複写または移動元の画像データに基づく情報を表示し、第２の領域に複写または移動先の画像データに基づく情報を表示するとともに、第１の領域と第２の領域との双方または一方に、画像データに対応する縮小画像を表示する。したがって、より視覚的にわかりやすい操作画面を提供することにより、画像データの管理において、直感的かつ簡便な操作を可能とすることができる。
【００２５】
また、本実施形態によれば、操作部は、複数の複写または移動元と複数の複写または移動先との少なくとも一方を指定するユーザ指示を受け付け、制御部は、ユーザ指示にしたがって、複数の複写または移動元からの画像のデータの複写または移動と、複数の複写または移動先への画像のデータの複写または移動との少なくとも一方を行う。したがって、複写または移動元や複写または移動先が複数である場合にも簡便な操作を可能とすることができる。
【００２６】
また、本実施形態によれば、表示部は、第１の領域および第２の領域に複数の画像データに基づく情報を表示する際に、複数の画像データの属性に応じて、表示順序を決定する。したがって、画像データの選択が容易になる。
なお、本実施形態では、記憶装置１は、本体１０とリモートコントローラ２０とモニタ４０とから構成される例を示したが、本発明はこの例に限定されない。例えば、記憶装置の本体に、ボタンなどの操作部材を備える構成としても良いし、モニタなどの表示装置を備える構成としても良い。また、記憶装置は、カメラなどの外部機器とコンピュータとからなる構成としても良い。この場合、コンピュータに、図３のフローチャートで説明した各処理と同等の処理を実現可能なプログラムを予め記憶しておけば良い。
【００２７】
また、本実施形態では、入力部１２に電子カメラ５０を接続して画像データを入力する例を示したが、他の外部機器を接続する構成としても良い。例えば、カメラ付き携帯電話、ＰＤＡなどの携帯情報端末などの外部機器から有線または無線で画像データを入力する構成としても良い。
また、本実施形態では、出力部１３にモニタ４０を接続して画像データを出力する例を示したが、他の画像出力機器を接続する構成としても良い。例えば、テレビ、プロジェクタ、プリンタなどの画像出力機器に有線または無線で画像データを出力する構成としても良い。
【００２８】
また、カメラに、本実施形態の記憶装置を適用しても良い。例えば、メモリカードなどの記憶媒体と内部記憶部とを備えたカメラなどにも好適である。
また、本実施形態では、複写または移動元と複写または移動先とを左右に並べて表示する例を示したが、表示画面を複数の領域に分割して、第１の領域に複写または移動元の画像データに基づく情報を表示し、第２の領域に複写または移動先の画像データに基づく情報を表示する構成であれば、レイアウトはこの例に限定されない。例えば、上下に並べて表示する構成としても良いし、複数の領域の大きさや形を表示内容に応じて変化させても良い。さらに、３つ以上の領域に分割しても良い。例えば、複写または移動元や複写または移動先が複数である場合には、ユーザは、全ての情報を一度に目視することができるので、より直感的に操作を行うことができる。
【００２９】
また、本実施形態では、画像データの種類については詳細な説明を行わなかったが、静止画像データであっても、動画像データであっても、画像データに付帯する音声データであっても、本発明を同様に適用することができる。なお、動画像の縮小画像を表示する場合には、動画像データを構成する１コマの静止画像を縮小画像として表示しても良いし、動画像を縮小して再生しても良い。
【図面の簡単な説明】
【００３０】
【図１】本実施形態の記憶装置の構成を示すブロック図である。
【図２】本実施形態のリモートコントローラ２０の外観図である。
【図３】記憶装置１の動作を示すフローチャートである。
【図４】表示画面の例である。
【図５】表示画面の例である。
【符号の説明】
【００３１】
１，記憶装置  １１，記憶部  １２，入力部  １３，出力部  １６，ＣＰＵ
【図１】
2007142553.tif 000003
【図２】
2007142553.tif 000004
【図３】
2007142553.tif 000005
【図４】
2007142553.tif 000006
【図５】
2007142553.tif 000007